(57)【要約】【課題】  タッチパネルを備えた大型の表示装置においては、利用者の手が届かない等の操作上の不都合がある。【解決手段】  本発明の表示装置は、画像を表示する表示面を有する表示パネルと、前記表示面に画像を表示させる画像処理部と、タッチ操作される操作面を有するタッチパネルと、前記タッチ操作に基づいて、前記操作面の入力操作座標を取得する座標取得部と、前記入力操作座標を他の装置へ出力する制御部と、を有し、前記制御部は、前記操作面の一部である第１の操作領域に前記入力操作座標がある場合、前記入力操作座標に代えて、前記入力操作座標と所定の関係に基づいて対応付けられる対応操作座標を前記他の装置へ出力する。【選択図】      図１
2016024647.tif 000002
【特許請求の範囲】
【請求項１】
画像を表示する表示面を有する表示パネルと、
前記表示面に画像を表示させる画像処理部と、
タッチ操作される操作面を有するタッチパネルと、
前記タッチ操作に基づいて、前記操作面の入力操作座標を取得する座標取得部と、
前記入力操作座標を他の装置に出力する制御部と、を有し、
前記制御部は、前記操作面の一部である第１の操作領域に前記入力操作座標がある場合、前記入力操作座標に代えて、前記入力操作座標と所定の関係に基づいて対応付けられる対応操作座標を前記他の装置に出力することを特徴とする表示装置。
【請求項２】
前記画像処理部は、
前記表示面の一部である第１の表示領域と、前記第１の表示領域の少なくとも一部と重複する第２の表示領域と、にそれぞれ画像を表示させるとともに、
前記第１の操作領域の一部である特定操作領域に前記入力操作座標がある場合、前記第１の表示領域に表示された画像を、前記第１の表示領域に代えて、前記第１の表示領域とは異なる第３の表示領域に表示させることを特徴とする請求項１に記載の表示装置。
【請求項３】
前記第１の操作領域と、前記第１の操作領域の少なくとも一部と重複する第２の操作領域と、は相似形であり、
前記第１の操作領域に対する前記特定操作領域の相対的位置は、前記第２の操作領域に対する前記第１の操作領域の相対的位置と略同一であることを特徴とする請求項２に記載の表示装置。
【請求項４】
前記第２の操作領域に対する前記対応操作座標の相対的位置は、前記第１の操作領域に対する前記入力操作座標の相対的位置と略同一であることを特徴とする請求項３に記載の表示装置。
【請求項５】
前記第１の表示領域の形状及び大きさは、前記第１の操作領域の形状及び大きさと略同一であり、
前記第２の表示領域の形状及び大きさは、前記第２の操作領域の形状及び大きさと略同一であることを特徴とする請求項３又は４に記載の表示装置。
【請求項６】
前記第１の表示領域は、前記表示面の下側にあり、
前記第３の表示領域は、前記第１の表示領域の右側又は左側にあることを特徴とする請求項２から５のいずれかに記載の表示装置。
【請求項７】
前記第１の表示領域に表示する画像は、前記第２の表示領域に表示する画像と同じであることを特徴とする、請求項２から６のいずれかに記載の表示装置。
【請求項８】
表示パネルの表示面の一部である第１の表示領域と、前記第１の表示領域の少なくとも一部と重複する第２の表示領域と、にそれぞれ画像を表示する工程と、
タッチ操作に基づいて、タッチパネルの操作面の入力操作座標を取得する工程と、
前記入力操作座標を他の装置に出力する出力工程と、を含み、
前記出力工程において、前記操作面の一部である第１の操作領域の内側に前記入力操作座標がある場合、前記入力操作座標に代えて、前記入力操作座標と所定の関係に基づいて対応付けられる対応操作座標の情報を他の装置に出力することを特徴とする制御方法。
【発明の詳細な説明】
【技術分野】
【０００１】
本発明は、表示装置及び制御方法に関する。
【背景技術】
【０００２】
近年、表示装置の大型化が進展している。また、タッチパネルを備えた大型の表示装置が普及しつつある。
【０００３】
大型の表示装置においては、利用者の手が容易に届かない等の操作上の問題があった。
【０００４】
そこで、特許文献１には、ソフトキーを設けた制御ウィンドウを表示し、この制御ウィンドウの操作により画像の表示を制御する表示装置が開示されている。
【先行技術文献】
【特許文献】
【０００５】
【特許文献１】特開２０１２−１０３８００号公報
【発明の概要】
【発明が解決しようとする課題】
【０００６】
しかし、特許文献１に記載された表示装置においては、利用者は準備されたソフトキーの制御以外の制御を行うことはできない。このため、利用者の操作上の問題は解消されていない。
【０００７】
さらに、パーソナルコンピュータ等の出力画像を表示し、また、タッチ操作した位置に相当する座標をパーソナルコンピュータに送信するような大型の表示装置も存在する。このような大型の表示装置においても同様に、利用者の手が容易に届かない等の操作上の問題がある。
【０００８】
本発明の目的は、上述した課題を解決する表示装置及び制御方法を提供することにある。
【課題を解決するための手段】
【０００９】
上記目的を達成するため、本発明における表示装置は、画像を表示する表示面を有する表示パネルと、前記表示面に画像を表示させる画像処理部と、タッチ操作される操作面を有するタッチパネルと、前記タッチ操作に基づいて、前記操作面の入力操作座標を取得する座標取得部と、前記入力操作座標を他の装置に出力する制御部と、を有し、前記制御部は、前記操作面の一部である第１の操作領域に前記入力操作座標がある場合、前記入力操作座標に代えて、前記入力操作座標と所定の関係に基づいて対応付けられる対応操作座標を前記他の装置に出力する。
【００１０】
上記目的を達成するため、本発明における制御方法は、表示パネルの表示面の一部である第１の表示領域と、前記第１の表示領域の少なくとも一部と重複する第２の表示領域と、にそれぞれ画像を表示する工程と、タッチ操作に基づいて、タッチパネルの操作面の入力操作座標を取得する工程と、前記入力操作座標を他の装置に出力する出力工程と、を含み、前記出力工程において、前記操作面の一部である第１の操作領域の内側に前記入力操作座標がある場合、前記入力操作座標に代えて、前記入力操作座標と所定の関係に基づいて対応付けられる対応操作座標の情報を他の装置に出力する。
【発明の効果】
【００１１】
本発明によれば、タッチパネルを備えた大型の表示装置において、利用者の手が届かない等の操作上の問題を解消し、快適なタッチ操作を実現することができる。
【図面の簡単な説明】
【００１２】
【図１】本発明の表示装置のブロック図である。
【図２】本発明の表示面及び操作面の構成例を示す図である。
【図３】一実施形態に係る制御方法のフローチャートである。
【図４】一実施形態に係る制御方法のフローチャートである。
【図５】本発明の表示装置の第１及び第２の動作例を示す図である。
【図６】本発明の表示装置の第３及び第４の動作例を示す図である。
【発明を実施するための形態】
【００１３】
以下、図面を参照して本発明の実施形態を説明する。
【００１４】
図１は、本発明による表示装置１００のブロック図である。
【００１５】
表示装置１００は、表示パネル１１０、タッチパネル１３０、画像処理部１５０、座標取得部１６０、制御部１７０を備える。
【００１６】
表示パネル１１０は、画像を表示する表示面１２０を備える。画像処理部１５０から出力される画像を表示面１２０に表示する。表示パネル１１０は、例えば、液晶パネル、プラズマディスプレイパネル、有機ＥＬ（Ｅｌｅｃｔｒｏ  Ｌｕｍｉｎｅｓｃｅｎｃｅ）パネル等である。表示パネル１１０の表示面１２０は、例えば、水平方向に１９２０、垂直方向に１０８０の表示解像度を有する。
【００１７】
タッチパネル１３０は、タッチ操作される操作面１４０を備える。タッチパネル１３０は、タッチ操作に応じた検出信号を座標取得部１６０に出力する。タッチパネル１３０の方式としては、光学式、静電式、感圧式等のいずれの方式を用いてもよい。また、タッチパネル１３０の操作面１４０は、例えば、水平方向に４００点、垂直方向に２００点の分解能を有する。
【００１８】
操作面１４０の大きさは、表示面１２０の大きさとほぼ同じであるか、又は、表示面１２０の大きさより大きい。タッチパネル１３０は、表示パネル１１０に近接させて設ける。また、タッチパネル１３０は、表示面１２０と操作面１４０とが平行になるように設ける。
【００１９】
画像処理部１５０は、画像の拡大や縮小、複数の画像の合成等の処理を行い、表示面１２０に表示する画像を生成する。画像処理部１５０は、生成した画像を表示パネル１１０に出力する。
【００２０】
上述のように、表示パネル１１０の表示面１２０の表示解像度が１９２０×１０８０（水平方向の画素数×垂直方向の画素数）である場合には、画像処理部１５０は、上記の処理を行った１９２０×１０８０ピクセルの画像を生成する。
【００２１】
座標取得部１６０は、タッチパネル１３０が出力する検出信号に基づいて、タッチ操作されているか否か、また、タッチ操作された場合には、操作面１４０におけるタッチ操作された位置に相当する入力操作座標を取得する。そして、取得した入力操作座標を制御部１７０に出力する。
【００２２】
上述のように、タッチパネル１３０の操作面１４０の分解能が４００×２００（水平方向の分解能×垂直方向の分解能）であるとする。また、仮に、この操作面１４０の左下の座標を（１，１）、右上の座標を（４００，２００）と定義する。この場合、タッチパネル１３０の中央をタッチ操作した場合には、座標取得部１６０は、入力操作座標（２００，１００）を取得することになる。
【００２３】
制御部１７０は、座標取得部１６０が取得した入力操作座標を他の装置２００に出力する。又は、入力操作座標に基づいて、入力操作座標とは異なる座標を他の装置２００に出力する。
【００２４】
また、制御部１７０は、画像処理部１５０に対して、指示情報を出力する。指示情報は、例えば、表示面１２０において特定の画像を表示する領域を指示する情報である。また、指示情報は、画像を表示する２つの領域を指示し、それぞれの領域に同じ画像を生成又は表示することを指示する情報である。あるいは、指示情報は、ある画像に対して他の画像を重畳させた画像を生成又は表示することを指示する情報である。
【００２５】
他の装置２００は、例えば、パーソナルコンピュータ等のコンピュータである。他の装置２００は、制御部１７０が出力した座標に基づいて処理を行う。
【００２６】
また、図１に示していないが、他の装置２００は、画像データを表示装置１００に出力してもよい。また、他の装置２００は、制御部１７０が出力した座標に基づいて画像データに対して描画処理を行い、描画処理を行った画像データを表示装置１００に出力してもよい。
【００２７】
次に、表示面１２０及び操作面１４０に設ける各領域を、図２（ａ）（ｂ）を参照して説明する。
【００２８】
表示面１２０には、図２（ａ）に示すように、画像を表示する第１の表示領域１２１及び第２の表示領域１２２を設ける。第１の表示領域１２１は、第２の表示領域１２２より小さく、第２の表示領域１２２と重複している。また、第１の表示領域１２１と第２の表示領域１２２は、ともに長方形状を有する。また、第１の表示領域１２１と第２の表示領域１２２とは、相似形である。図２（ａ）においては、第１の表示領域１２１と第２の表示領域１２２に、それぞれ同じ画像を表示させている。表示動作の詳細は、後述する。第１の表示領域１２１は、例えば、図２（ａ）のように、表示面１２０における左下に設ける。なお、第１の表示領域１２１の一部が第２の表示領域１２２に重複していてもよい。ここで、第１の表示領域１２１の縦及び横の寸法は、それぞれ第２の表示領域１２２の縦及び横の寸法の半分以下であると尚良い。
【００２９】
操作面１４０には、図２（ａ）に示すように、第１の操作領域１４１及び第２の操作領域１４２を設ける。第１の操作領域１４１の形状及び大きさは、第１の表示領域１２１の形状及び大きさと略同一である。また、第２の操作領域の形状及び大きさは、第２の表示領域１２２の形状及び大きさと略同一である。これにより、第１の操作領域をタッチ操作した場合に、第１の表示領域をタッチ操作したような直感的動作が得られる。なお、利用者が第１の表示領域１２１を見ながら第１の操作領域１４１をタッチ操作する上で、支障のない範囲で第１の操作領域１４１の形状及び大きさは適宜変更してもよい。第２の操作領域１４２の形状及び大きさについても同様である。また、タッチ操作に関する動作の詳細については、後述する。
【００３０】
図２（ａ）（ｂ）においては、便宜上、表示面１２０と操作面１４０を分離して示している。しかし、実際には、前述のように、表示面１２０と操作面１４０は近接させ、かつ、平行にする。
【００３１】
第１の操作領域１４１には、図２（ａ）に示すように、第１の特定操作領域１４４を設ける。第１の操作領域１４１における第１の特定操作領域１４４の相対的な位置は、第２の操作領域１４２における第１の操作領域１４１の相対的な位置と略同一である。
【００３２】
表示面１２０には、図２（ｂ）に示すように、第３の表示領域１２３を設ける。第３の表示領域１２３は、第２の表示領域１２２より小さく、第２の表示領域１２２と重複している。また、第３の表示領域１２３と第１の表示領域１２１とは略同一の形状及び大きさを有する。このため、第３の表示領域１２３と第２の表示領域１２２とは、相似形である。図２（ｂ）においては、第３の表示領域１２３と第２の表示領域１２２に、それぞれ同じ画像を表示させている。表示動作の詳細は、後述する。第３の表示領域１２３は、例えば、表示面１２０における右下に設ける。
【００３３】
なお、図２（ａ）（ｂ）には、第１の表示領域１２１を表示面１２０の下側に設け、第３の表示領域１２３を第１の表示領域１２１の右側に設ける例を示したが、これに限られるものではない。例えば、第３の表示領域１２３を第１の表示領域１２１の左側に設けてもよい。
【００３４】
操作面１４０には、図２（ｂ）に示すように、第３の操作領域１４３を設ける。第３の操作領域１４３は、第３の表示領域１２３と略同一の形状及び大きさを有する。
【００３５】
また、第３の操作領域１４３には、図２（ｂ）に示すように、第３の特定操作領域１４５を設ける。第３の操作領域１４３における第３の特定操作領域１４５の相対的な位置は、第２の操作領域１４２における第３の操作領域１４３の相対的な位置と略同一である。
【００３６】
次に、表示装置１００の動作について、図３のフローチャートを用いて説明する。なお、具体的な動作例については、後述する。
【００３７】
第１の表示領域１２１と第２の表示領域１２２のそれぞれに画像を表示する（Ｓ３０１）。
【００３８】
操作面１４０に対するタッチ操作に基づいて、座標取得部１６０は、入力操作座標を取得する（Ｓ３０２）。
【００３９】
入力操作座標は、操作面１４０におけるタッチ操作された位置に相当する座標である。タッチパネル１３０は、操作面１４０がタッチ操作されたか否かに関わらず、検出信号を座標取得部１６０に出力する。座標取得部１６０は、検出信号に基づいて、タッチ操作されているか否か、また、タッチ操作された場合には、入力操作座標を取得する。そして、座標取得部１６０は、入力操作座標を制御部１７０に出力する。
【００４０】
制御部１７０は、入力操作座標が第１の特定操作領域１４４にあるか否かを判定する（Ｓ３０３）。
【００４１】
入力操作座標が第１の特定操作領域１４４にあると判定されない場合には（Ｓ３０３のＮＯ）、制御部１７０は、入力操作座標が第１の操作領域１４１にあるか否かを判定する（Ｓ３０４）。
【００４２】
入力操作座標が第１の操作領域１４１にあると判定された場合（Ｓ３０４のＹＥＳ）、制御部１７０は、第１の対応操作座標を他の装置２００に出力する（Ｓ３０５）。第１の対応操作座標は、第１の操作領域１４１にある入力操作座標に対応する座標である。なお、具体的な動作例については、後述する。
【００４３】
Ｓ３０５を実行した後は、Ｓ３０２に戻る。
【００４４】
入力操作座標が第１の操作領域１４１にないと判定された場合（Ｓ３０４のＮＯ）、制御部１７０は、入力操作座標を他の装置２００に出力する（Ｓ３０６）。
【００４５】
Ｓ３０６を実行した後は、Ｓ３０２に戻る。
【００４６】
入力操作座標が第１の特定操作領域１４４にあると判定された場合（Ｓ３０３のＹＥＳ）、制御部１７０は、第１の表示領域１２１に表示された画像を、第１の表示領域１２１に代えて、第３の表示領域１２３に表示させる（Ｓ３０７）。Ｓ３０７を実行した後は、Ｂに進む。
【００４７】
以上説明したように、入力操作座標が第１の特定操作領域１４４にあるときには、制御部１７０は、第１の表示領域１２１に表示された画像を、第１の表示領域１２１に代えて、第３の表示領域１２３に表示させる。また、入力操作座標が第１の特定操作領域１４４を除いた第１の操作領域１４１にあるときには、制御部１７０は、第１の対応操作座標を他の装置２００に出力する。さらに、入力操作座標が第１の操作領域１４１にないときには、制御部１７０は、入力操作座標を他の装置２００に出力する。このように、入力操作座標が、第１の特定操作領域１４４にあるか否か、第１の操作領域１４１にあるか否か、第２の操作領域１４２にあるか否か、の順に優先的に判定され、それぞれの領域に応じた処理がなされる。
【００４８】
Ｂ以降の動作を図４に示す。
【００４９】
操作面１４０に対するタッチ操作に基づいて、Ｓ３０２と同様に、入力操作座標を取得する（Ｓ３０８）。
【００５０】
制御部１７０は、入力操作位置が第３の特定操作領域１４５にあるか否かを判定する（Ｓ３０９）。
【００５１】
制御部１７０により、入力操作座標が第３の特定操作領域１４５にあると判定されない場合（Ｓ３０９のＮＯ）、さらに、制御部１７０は、入力操作座標が第３の操作領域１４３にあるか否かを判定する（Ｓ３１０）。
【００５２】
入力操作座標が第３の操作領域１４３にあると判定された場合（Ｓ３１０のＹＥＳ）、制御部１７０は、第３の対応操作座標を他の装置２００に出力する（Ｓ３１１）。第３の対応操作座標とは、第３の操作領域１４３にある入力操作座標に対応する座標であって、かつ、第２の操作領域１４２における座標である。なお、具体的な動作例については、後述する。
【００５３】
Ｓ３１１を実行した後は、Ｓ３０８に戻る。
【００５４】
入力操作座標が第３の操作領域１４３にないと判定された場合（Ｓ３１０のＮＯ）、制御部１７０は、入力操作座標を他の装置２００に出力する（Ｓ３１２）。Ｓ３１２を実行した後は、Ｓ３０８に戻る。
【００５５】
入力操作座標が第３の特定操作領域１４５にあると判定された場合（Ｓ３０９のＹＥＳ）、制御部１７０は、第３の表示領域１４３に表示された画像を、第３の表示領域１４３に代えて、第１の表示領域１４１に表示させる（Ｓ３１３）。
【００５６】
Ｓ３１３を実行した後は、Ａに進む。
【００５７】
Ａ以降の動作は、図３に示したようにＳ３０２に戻る。
【００５８】
最後に、本実施形態における表示装置の具体的な４つの動作例を説明する。
（第１の動作例）
図５（ａ）は第１の動作例を説明するための図である。図５（ａ）のように、第１の表示領域１２１と第２の表示領域１２２に、それぞれ同じ画像を表示する（Ｓ３０１）。
【００５９】
制御部１７０は、画像処理部１５０に対して、第１の表示領域１２１と第２の表示領域１２２を指定する。また、制御部１７０は、画像処理部１５０に対して、第１の表示領域１２１と第２の表示領域１２２にそれぞれ同じ画像を表示することを指示する。さらに、制御部１７０は、画像処理部１５０に対して、第１の表示領域１２１に表示する画像を第２の表示領域１２２に表示する画像に重畳させて表示することを指示する。そして、画像処理部１５０は、制御部１７０からの指示に基づき、表示面１２０に表示する画像を生成し、表示パネル１１０に出力する。表示パネル１１０は、画像処理部１５０が出力した画像を表示面１２０に表示する。
【００６０】
なお、画像データは、他の装置２００が表示装置１００に出力してもよい。この場合、画像処理部１５０は、その画像データを受け取る。
【００６１】
また、図５（ａ）に、操作面１４０をタッチ操作する利用者の指Ｆを示す。利用者の指Ｆが操作面１４０の位置１８１に触れると、タッチパネル１３０は、そのタッチ操作に応じた検出信号を出力する。そして、この検出信号に基づいて、座標取得部１６０は、位置１８１に相当する入力操作座標を取得する（Ｓ３０２）。
【００６２】
制御部１７０は、あらかじめ、表示面１２０の表示解像度、操作面１４０の分解能、さらに、表示面１２０の大きさ、操作面１４０の大きさ、表示面１２０と操作面１４０の位置関係に基づいて、各領域の座標を取得する。より具体的には、制御部１７０は、画像処理部１５０に対して第１の表示領域１２１及び第２の表示領域１２２を指定する際に、第１の表示領域１２１及び第２の表示領域１２２の座標を決定している。制御部１７０は、この第１の表示領域１２１及び第２の表示領域１２２の座標を基に、第１の操作領域１４１及び第２の操作領域１４２の座標を取得する。
【００６３】
位置１８１に相当する入力操作座標は、第１の特定操作領域１４４にはないと判定される（Ｓ３０３のＮＯ）。次に、位置１８１に相当する入力操作座標は、第１の操作領域１４１にあると判定される（Ｓ３０４のＹＥＳ）。その結果、制御部１７０は、位置１８２に相当する第１の対応操作座標を他の装置２００に出力する（Ｓ３０５）。第１の操作領域１４１における位置１８１の相対的位置は、第２の操作領域１４２における位置１８２の相対的位置と略同一である。
【００６４】
このような動作により、指Ｆで位置１８１をタッチ操作しているが、あたかも位置１８２をタッチ操作したような動作を実現することができる。
【００６５】
他の装置２００は、位置１８２に相当する第１の対応操作座標を受け取り、その座標に基づいた処理を行う。例えば、他の装置２００は、表示装置１００に出力する画像データに基づく画像において、第１の対応操作座標に基づいた描画処理を行う。描画処理を行った画像データに基づく画像は、画像処理部１５０が複製し、図５（ａ）に示すように第１の表示領域１２１及び第２の表示領域１２２にそれぞれ表示する。
【００６６】
なお、このような処理を行う前提として、他の装置２００は、出力する画像データに基づく画像と操作面１４０との位置関係を把握する必要がある。
【００６７】
例えば、他の装置２００は、特定の位置にターゲットを有するテスト画像の画像データを表示装置１００に出力する。そのテスト画像を表示面１２０に表示する。表示されたテスト画像の中のターゲット付近の操作面１４０を指Ｆで触れると、座標取得部１６０は、検出信号に基づいて入力操作座標を取得する。入力操作座標は、制御部１７０により他の装置２００に出力される。他の装置２００は、テスト画像におけるターゲットと、操作面１４０における位置の座標とを対応付ける。このような処理を、複数の位置について行う。このようにすれば、他の装置２００は、出力する画像データに基づく画像と操作面１４０との位置関係を把握することができる。
【００６８】
図５（ａ）に示しているように、第１の表示領域１２１は、表示面１２０の下側に設ける。その結果、第１の操作領域１４１も、操作面１４０の下側に設けることになる。これにより、利用者の指Ｆが位置１８２に届かないような場合であっても、位置１８１をタッチ操作することにより、位置１８２をタッチ操作するのと同様の動作をさせることができる。つまり、大型の表示装置１００においても、本発明により、利用者の手が届かないという操作上の問題を解消することができる。
【００６９】
また、表示装置１００が入力操作座標に代えて、第１の対応操作座標を他の装置２００に出力する。他の装置２００は、入力操作座標を受け取らず、第１の対応操作座標を受け取る。そして、他の装置２００は、受け取った座標に基づいて処理を行う。
【００７０】
このように動作させるため、本発明を実施するにあたり、他の装置２００において、特別なアプリケーション等を使用する必要はない。
【００７１】
（第２の動作例）
図５（ｂ）は第２の動作例を説明するための図である。図５（ｂ）に基づいて、具体的な動作を説明する。
【００７２】
図５（ｂ）のように、第３の表示領域１２３と第２の表示領域１２２に、それぞれ同じ画像を表示する（Ｓ３０７）。
【００７３】
制御部１７０は、画像処理部１５０に対して、第３の表示領域１２３と第２の表示領域１２２を指定する。また、制御部１７０は、画像処理部１５０に対して、第３の表示領域１２３と第２の表示領域１２２にそれぞれ同じ画像を表示することを指示する。さらに、制御部１７０は、画像処理部１５０に対して、第３の表示領域１２３に表示する画像を第２の表示領域１２２に表示する画像に重畳させて表示することを指示する。そして、画像処理部１５０は、制御部１７０からの指示に基づき、表示面１２０に表示する画像を生成し、表示パネル１１０に出力する。表示パネル１１０は、画像処理部１５０が出力した画像を表示面１２０に表示する。
【００７４】
なお、画像データは、他の装置２００が表示装置１００に出力してもよい。この場合、画像処理部１５０は、その画像データを受け取る。
【００７５】
また、図５（ｂ）に、操作面１４０をタッチ操作する利用者の指Ｆを示す。利用者の指Ｆが操作面１４０の位置１８３に触れることにより、タッチパネル１３０は、タッチ操作の検出信号を出力する。そして、この検出信号に基づいて、座標取得部１６０は、位置１８３に相当する入力操作座標を取得する（Ｓ３０２）。
【００７６】
位置１８３に相当する入力操作座標は、第３の特定操作領域１４５にはないと判定される（Ｓ３０９のＮＯ）。また、位置１８３に相当する入力操作座標は、第３の操作領域１４３にあると判定される（Ｓ３１０のＹＥＳ）。その結果、制御部１７０は、位置１８４に相当する第３の対応操作座標を他の装置２００に出力する（Ｓ３１１）。第３の操作領域１４３における位置１８３の相対的位置は、第２の操作領域１４２における位置１８４の相対的位置と略同一である。
【００７７】
このような動作により、指Ｆで位置１８３をタッチ操作しているが、あたかも位置１８４をタッチ操作したような動作を実現することができる。
【００７８】
他の装置２００は、位置１８４に相当する第３の対応操作座標を受け取り、その座標に基づいた処理を行う。例えば、他の装置２００は、表示装置１００に出力する画像データに基づく画像において、第３の対応操作座標に基づいた描画処理を行う。描画処理を行った画像データに基づく画像は、画像処理部１５０が複製し、図５（ｂ）に示すように第３の表示領域１２３及び第２の表示領域１２２にそれぞれ表示する。
【００７９】
図５（ｂ）に示しているように、第３の表示領域１２３は、表示面１２０の下側に設ける。その結果、第３の操作領域１４３も、操作面１４０の下側に設けることになる。これにより、利用者の指Ｆが位置１８４に届かないような場合であっても、位置１８３をタッチ操作することにより、位置１８４をタッチ操作するのと同様の動作をさせることができる。つまり、大型の表示装置１００においても、本発明により、利用者の手が届かないという操作上の問題を解消することができる。
【００８０】
また、表示装置１００が入力操作座標に代えて、第３の対応操作座標を他の装置２００に出力する。他の装置２００は、入力操作座標を受け取らず、第３の対応操作座標を受け取る。そして、他の装置２００は、受け取った座標に基づいて処理を行う。
【００８１】
このように動作させるため、本発明を実施するにあたり、他の装置２００において、特別なアプリケーション等を使用する必要はない。
【００８２】
次に、本実施形態における表示装置の他の具体的な動作例を説明する。
【００８３】
（第３の動作例）
図６（ａ）は第３の動作例を説明するための図である。図６（ａ）のように、第１の表示領域１２１と第２の表示領域１２２に、それぞれ同じ画像を表示する（Ｓ３０１）。
【００８４】
また、図６（ａ）に、操作面１４０をタッチ操作する利用者の指Ｆを示す。利用者の指Ｆが操作面１４０の位置１８１に触れると、タッチパネル１３０は、そのタッチ操作に応じた検出信号を出力する。そして、この検出信号に基づいて、座標取得部１６０は、位置１８５に相当する入力操作座標を取得する（Ｓ３０２）。
【００８５】
制御部１７０は、あらかじめ、表示面１２０の表示解像度、操作面１４０の分解能、さらに、表示面１２０の大きさ、操作面１４０の大きさ、表示面１２０と操作面１４０の位置関係に基づいて、各領域の座標を取得する。より具体的には、制御部１７０は、画像処理部１５０に対して第１の表示領域１２１及び第２の表示領域１２２を指定する際に、第１の表示領域１２１及び第２の表示領域１２２の座標を決定している。制御部１７０は、この第１の表示領域１２１及び第２の表示領域１２２の座標を基に、第１の操作領域１４１及び第２の操作領域１４２の座標を取得する。また、制御部１７０は、第１の操作領域１４１の座標と第２の操作領域１４２の座標に基づいて、第１の特定操作領域１４４の座標を取得する。
【００８６】
そして、制御部１７０は、位置１８５に相当する入力操作座標が第１の特定操作領域１４４にあると判定する（Ｓ３０３のＹＥＳ）。
【００８７】
ここで、図５（ａ）の場合と同様に、図６（ａ）における第１の対応操作座標を特定すると、位置１８６に相当する座標となる。この位置１８６は、利用者の手が容易に届く、第１の操作領域１４１にある。
【００８８】
また、仮に、制御部１７０が、位置１８６に相当する第１の対応操作座標を他の装置２００に出力したとする。そして、他の装置２００が、その座標に基づいて描画処理を行い、描画処理を行った画像データを表示装置１００に出力したとする。しかし、第２の表示領域１２２に表示された画像において、描画処理された画像の箇所は、位置１８６に相当する表示面１２０の箇所である。この箇所は、第１の表示領域１２１に表示された画像が、第２の表示領域１２２に表示された画像に重畳されて表示される。その結果、描画処理された画像の箇所は、第１の表示領域１２１にしか表示されないことになる。
【００８９】
そこで、制御部１７０は、第１の表示領域１２１に表示された画像を、第１の表示領域１２１に代えて、第３の表示領域１２３に表示させる（Ｓ３０７）。つまり、図６（ｂ）に示すように、第３の表示領域１２３と第２の表示領域１２２に、それぞれ同じ画像を表示する。
【００９０】
なお、図６（ｂ）において、利用者の指Ｆが位置１８６に触れた場合には、座標取得部１６０は、検出信号に基づいて位置１８６に相当する入力操作座標を取得する（Ｓ３０８）。
【００９１】
制御部１７０は、入力操作座標が第３の特定操作領域１４５にないと判定する（Ｓ３０８のＮＯ）。さらに、制御部１７０は、入力操作座標が第３の操作領域１４３にないと判定する（Ｓ３１０のＮＯ）。その結果、制御部１７０は、位置１８６に相当する入力操作座標を他の装置２００に出力する（Ｓ３１２）。
【００９２】
このように、本発明によると、図６（ａ）において、利用者の指Ｆが第１の特定操作領域１４４に触れると、図６（ｂ）の表示に変わる。これにより、第１の特定操作領域１４４に相当する第２の操作領域１４２における領域に対して、利用者は直接操作することができる。第１の操作領域１４１には、利用者の手は容易に届くため、利用者は快適にタッチ操作を行うことができる。
【００９３】
（第４の動作例）
図６（ｂ）は第４の動作例を説明するための図である。図６（ｂ）において、利用者の指Ｆが位置１８７に触れた場合について説明する。
【００９４】
タッチパネル１３０は、タッチ操作の検出信号を出力する。そして、この検出信号に基づいて、座標取得部１６０は、位置１８７に相当する入力操作座標を取得する（Ｓ３０８）。
【００９５】
そして、制御部１７０は、入力操作座標が第３の特定操作領域１４５にあると判定する（Ｓ３０９のＹＥＳ）。
【００９６】
ここで、図５（ｂ）の場合と同様に、図６（ｂ）における第３の対応操作座標を特定すると、位置１８８に相当する座標となる。この位置１８８は、利用者の手が容易に届く、第３の操作領域１４３にある。
【００９７】
また、仮に、制御部１７０が、位置１８８に相当する第３の対応操作座標を他の装置２００に出力したとする。そして、他の装置２００が、その座標に基づいて描画処理を行い、描画処理を行った画像データを表示装置１００に出力したとする。しかし、第２の表示領域１２２に表示された画像において、描画処理された画像の箇所は、位置１８８に相当する表示面１２０の箇所である。この箇所は、第３の表示領域１２３に表示された画像が、第２の表示領域１２２に表示された画像に重畳されて表示される。その結果、描画処理された画像の箇所は、第３の表示領域１２３にしか表示されないことになる。
【００９８】
そこで、制御部１７０は、第１の表示領域１４１に表示された画像を、第３の表示領域１４３に代えて、第１の表示領域１４１に表示させる（Ｓ３１３）。つまり、図６（ａ）に示すように、第１の表示領域１２１と第２の表示領域１２２に、それぞれ同じ画像を表示する。
【００９９】
なお、図６（ａ）において、利用者の指Ｆが位置１８８に触れた場合には、座標取得部１６０は、検出信号に基づいて位置１８８に相当する入力操作座標を取得する（Ｓ３０２）。
【０１００】
制御部１７０は、入力操作座標が第１の特定操作領域１４４にないと判定する（Ｓ３０３のＮＯ）。さらに、制御部１７０は、入力操作座標が第１の操作領域１４１にないと判定する（Ｓ３０４のＮＯ）。その結果、制御部１７０は、位置１８８に相当する入力操作座標を他の装置２００に出力する（Ｓ３０６）。
【０１０１】
このように、本発明によると、図６（ｂ）において、利用者の指Ｆが第３の特定操作領域１４５に触れると、図６（ａ）の表示に変わる。これにより、第３の特定操作領域１４５に相当する第２の操作領域１４２における領域に対して、利用者は直接操作することができる。第３の操作領域１４３には、利用者の手は容易に届くため、利用者は快適にタッチ操作を行うことができる。
【０１０２】
以上、本発明においては、操作面１４０に第１の操作領域１４１及び第２の操作領域１４２を設ける。また、第１の操作領域１４１をタッチ操作した場合に、制御部１７０は、タッチ操作した位置に相当する入力操作座標に代えて、第１の対応操作座標を他の装置２００に出力する。これにより、利用者の手の届かない第２の操作領域１４２のタッチ操作に相当する操作を、利用者の手の届く第１の操作領域１４１を用いて行うことができる。このため、表示装置１００及び操作面１４０のサイズが大きく、タッチ操作するために容易に利用者の手が届かないという問題を解消することができる。
【０１０３】
また、本発明においては、第１の特定操作領域１４４をタッチ操作した場合には、第１の表示領域１２１に表示された画像を、第１の表示領域１２１に代えて、第３の表示領域１２３に表示させる。これにより、利用者は、容易に手の届く第２の操作領域１４２における領域に対して、直接タッチ操作することができる。このため、利用者は快適にタッチ操作を行える。
【０１０４】
以上、本発明の実施形態について提示し、詳細に説明したが、添付の特許請求の範囲の趣旨又は範囲から逸脱しない限り、さまざまな変更及び修正が可能である。
【符号の説明】
【０１０５】
１００    表示装置
１１０    表示パネル
１２０    表示面
１３０    タッチパネル
１４０    操作面
１５０    画像処理部
１６０    座標取得部
１７０    制御部
２００    他の装置
【図１】
2016024647.tif 000003
【図２】
2016024647.tif 000004
【図３】
2016024647.tif 000005
【図４】
2016024647.tif 000006
【図５】
2016024647.tif 000007
【図６】
2016024647.tif 000008